(57)【要約】【課題】蓋の取り付け時・取り外し時に容器本体内の収容物品を損傷させるおそれがなく、また蓋の取り外し・取り付け作業も容易で使い勝手のよい梱包容器を提供する。【解決手段】梱包容器Ｐは、ヒンジ部５を支点として左右のロックプレート３Ａ、３Ｂを内向きに折り畳むことによって、各ロックプレート３Ａ、３Ｂの下辺が左右のロック用凹凸部６Ａ、６Ｂの凸部６１の先端部前面に当接し、この当接状態で、容器本体１の両側から内向き・左右方向の力で各ロックプレートを押圧することによって、各ロックプレートが弾性変形し、各ロックプレートの下辺がロック用凹凸部６Ａ、６Ｂの凸部６１を越えて凹部６２に入り込んで、容器本体１と蓋２とが固定ロックされるものとする。また、容器本体１の内側から外向き・左右方向の力で左右のロックプレート６Ａ、６Ｂを拡げることによって、各ロックプレートの下辺がロック用凹凸部６Ａ、６Ｂの凹部６２から凸部６１を越えて抜け出し、前記固定ロックが解除されるものとする。【選択図】図１
2009262988.tif 000002
【特許請求の範囲】
【請求項１】
上面を開口した容器本体と、
前記容器本体の上面開口に配置される蓋と、
前記容器本体の両縁部の外側に配置される左右のロックプレートと、
前記各ロックプレートから前記容器本体に向けて延びた支持部と、
前記支持部の端部と前記容器本体の縁部とを繋ぐヒンジ部と、
前記左右のロックプレートに対応して前記蓋の両縁部の上面に形成した左右のロック用凹凸部と、を備え、
前記ヒンジ部を支点として前記各ロックプレートを内向きに折り畳むことによって、各ロックプレートの下辺が前記ロック用凹凸部の凸部の先端部前面に当接し、この当接状態で、前記容器本体の両側から内向き・左右方向の力で前記各ロックプレートを押圧することによって、前記各ロックプレートが弾性変形し、各ロックプレートの下辺が前記ロック用凹凸部の凸部を越えて凹部に入り込んで、前記容器本体と前記蓋とが固定ロックされる一方、
前記容器本体の内側から外向き・左右方向の力で前記左右のロックプレートを拡げることによって、各ロックプレートの下辺が前記ロック用凹凸部の凹部から前記凸部を越えて抜け出し、前記固定ロックが解除されること
を特徴とする梱包容器。
【請求項２】
前記ロック用凹凸部の凸部の先端部前面は、所定曲率の曲面に形成されていて、前記ロックプレートの下辺は、その曲面を滑り上がることで容易に当該凸部の天辺を越えることができるようになっていること
を特徴とする請求項１に記載の梱包容器。
【請求項３】
前記ヒンジ部には、前記ロックプレートの折り曲げ方向に直交する折り溝、又は折りスジが予め形成されていて、前記ロックプレートは、そのヒンジ部の折り溝又は折りスジを支点として折り曲げ可能になっていること
を特徴とする請求項１又は２のいずれか１項に記載の梱包容器。
【請求項４】
前記容器本体の縁部全周には位置決め用凸部が設けられ、
前記蓋の縁部全周には前記位置決め用凸部に対応する位置決め用凹部が設けられ、
前記容器本体の上面開口上に蓋を置いた時に、前記位置決め用凸部と位置決め用凹部とが互いに嵌合して、容器本体に対する蓋の位置が決まること
を特徴とする請求項１乃至３のいずれか１項に記載の梱包容器。
【請求項５】
前記位置決め用凸部の外周壁と前記位置決め用凹部の内周壁とは、逆テーパのない略垂直な面形状になっていること
を特徴とする請求項４に記載の梱包容器。
【発明の詳細な説明】
【技術分野】
【０００１】
本発明は、蓋の取り付け時・取り外し時に容器本体内の収容物品を損傷させるおそれがなく、また蓋の取り外し・取り付け作業も容易で、例えば、液晶パネルなどの精密電子部品を収納するのに好適な梱包容器に関する。
【背景技術】
【０００２】
従来、この種の梱包容器としては、例えば、特許文献１に開示された構造の容器が知られている。同文献の容器は、上面を開口した容器本体（１）と、容器本体（１）の上面開口に配置される蓋（１１）とからなり、容器本体（１）の上面開口縁には屈曲部（２）が設けられ、一方、蓋（１１）にはその屈曲部（２）に係合する折り曲げ部（１２）が形成されている（同文献の図１、図２及び段落００１２、００１４を参照）。
【０００３】
そして、前記屈曲部（２）の外縁側外周（３）及び前記折り曲げ部（１２）の外縁側内周（１３）は、いずれも逆テーパに形成されており（同文献の図３及び段落００１２、００１４を参照）、容器本体（１）と蓋（１１）を上下に圧して嵌合させると、蓋（１１）の折り曲げ部外縁側内周（１３）と容器本体（１）の屈曲部外縁側外周（３）とが逆テーパによって嵌着されるようになっている（同文献の段落００１９を参照）。
【０００４】
しかしながら、同文献の容器では、前記のように容器本体（１）と蓋（１１）を上下に圧して嵌合させると、蓋（１１）の折り曲げ部外縁側内周（１３）と容器本体（１）の屈曲部外縁側外周（３）とが逆テーパによって嵌着される構造を採用しているため、以下に示す問題点がある。
【０００５】
＜問題点１＞
容器本体（１）から蓋（１１）を取り外す際は、少なくとも逆テーパの抵抗を上回る上下方向の力で、容器本体（１）と蓋（１１）とを互いに引き離さなければならず、それらを少しでも勢いよく引き離してしまうと、引き離れた途端に、かかる上下方向の力が瞬間的に開放されることで、容器本体（１）内の収容物品が上下方向に跳ね上がり、収容物品を損傷させるおそれがある。また、容器本体（１）に蓋（１１）を取り付ける際にも、逆テーパの抵抗を上回る上下方向の力が容器本体（１）に作用するので、そのような上下方向の力によって容器本体（１）内の収容物品が上下に跳ね上がり、収容物品を損傷させるおそれもある。
【０００６】
＜問題点２＞
容器本体（１）から蓋（１１）を取り外す際は、容器本体（１）をしっかりと掴んでおかないと、逆テーパの抵抗を上回る上下方向の力で当該容器本体（１）が宙に浮いてしまい、スムーズに蓋（１１）を取り外すことができないなど、蓋（１１）の取り外し性が悪い。
【０００７】
尚、以上の説明の中で示したカッコ内の符号は、特許文献１で用いられている符号である。
【０００８】
【特許文献１】特開平８−２４４８１１号公報
【発明の開示】
【発明が解決しようとする課題】
【０００９】
本発明は前記問題点を解決するためになされたもので、その目的とするところは、蓋の取り付け時・取り外し時に容器本体内の収容物品を損傷させるおそれがなく、また蓋の取り外し・取り付け作業も容易で使い勝手のよい梱包容器を提供することにある。
【課題を解決するための手段】
【００１０】
前記目的を達成するために、本発明は、上面を開口した容器本体と、前記容器本体の上面開口に配置される蓋と、前記容器本体の両縁部の外側に配置される左右のロックプレートと、前記各ロックプレートから前記容器本体に向けて延びた支持部と、前記支持部の端部と前記容器本体の縁部とを繋ぐヒンジ部と、前記左右のロックプレートに対応して前記蓋の両縁部の上面に形成した左右のロック用凹凸部と、を備え、前記ヒンジ部を支点として前記各ロックプレートを内向きに折り畳むことによって、各ロックプレートの下辺が前記ロック用凹凸部の凸部の先端部前面に当接し、この当接状態で、前記容器本体の両側から内向き・左右方向の力で前記各ロックプレートを押圧することによって、前記各ロックプレートが弾性変形し、各ロックプレートの下辺が前記ロック用凹凸部の凸部を越えて凹部に入り込んで、前記容器本体と前記蓋とが固定ロックされる一方、前記容器本体の内側から外向き・左右方向の力で前記左右のロックプレートを拡げることによって、各ロックプレートの下辺が前記ロック用凹凸部の凹部から前記凸部を越えて抜け出し、前記固定ロックが解除されることを特徴とする。
【００１１】
本発明において、容器本体に蓋を取り付ける時は、容器本体の上面開口に蓋を置き、左右のロックプレートを内向き（蓋側）に折り畳む。そして、各ロックプレートの下辺がロック用凹凸部の凸部の先端部前面に当接したら、容器本体の両側から内向き・左右方向の力で各ロックプレートを押圧する。そうすると、各ロックプレートが弾性変形し、各ロックプレートの下辺がロック用凹凸部の凸部を越えて凹部に入り込むことで、容器本体と蓋とが固定ロックされた状態となる。
【００１２】
本発明において、容器本体から蓋を取り外す時は、容器本体の内側から外向き・左右方向の力で各ロックプレートを拡げる。そうすると、各ロックプレートの下辺がロック用凹凸部の凹部から凸部を越えて抜け出し、前記固定ロックが解除されて、容器本体から蓋を取り外すことが可能となる。
【００１３】
本発明において、前記ロック用凹凸部の凸部の先端部前面は、所定曲率の曲面に形成されていて、前記ロックプレートの下辺は、その曲面を滑り上がることで容易に当該凸部の天辺を越えることができるように構成してもよい。
【００１４】
本発明において、前記ヒンジ部には、前記ロックプレートの折り曲げ方向に直交する折り溝、又は折りスジが予め形成されていて、前記ロックプレートは、そのヒンジ部の折り溝又は折りスジを支点として折り曲げ可能になるものとしてもよい。
【００１５】
本発明において、前記容器本体の縁部全周には位置決め用凸部が設けられ、前記蓋の縁部全周には前記位置決め用凸部に対応する位置決め用凹部が設けられ、前記容器本体の上面開口上に蓋を置いた時に、前記位置決め用凸部と位置決め用凹部とが互いに嵌合して、容器本体に対する蓋の位置が決まるように構成することもできる。
【００１６】
本発明において、前記位置決め用凸部の外周壁と前記位置決め用凹部の内周壁とは、逆テーパのない略垂直な面形状になっている構成を採用してもよい。
【発明の効果】
【００１７】
本発明にあっては、前記の通り、容器本体に蓋を取り付ける時や、その蓋を取り外す時は、容器本体の内側から外向き・左右方向の力、又は容器本体の両側から内向き・左右方向の力が容器本体に作用するだけで、上下方向の力は加えないので、蓋の取り付けや取り外し時に、容器本体内で収容物品が上下に跳ね上がることはなく、跳ね上がりによって収容物品が損傷するおそれはない。
【００１８】
さらに、本発明によると、上述の通り、蓋の取付け時や取外し時に、上下方向の力は容器本体に加わらないので、そのような上下方向の力によって容器本体が宙に浮くこともなく、それを防止するために容器本体をしっかり掴んでおく必要もない点で、使い勝手に優れた梱包容器を提供しうる。
【発明を実施するための最良の形態】
【００１９】
以下、本発明を実施するための最良の形態について、添付した図面を参照しながら詳細に説明する。
【００２０】
図１は、本発明を適用した梱包容器の断面図、図２は、図１の梱包容器を構成する容器本体の説明図、図３は、図１の梱包容器を構成する蓋の説明図、図４は、図１に示す梱包容器の蓋と容器本体とを固定ロックする操作の説明用拡大図である。
【００２１】
図１に示す本梱包容器Ｐは、上面を開口した容器本体１と、容器本体１の上面開口に配置される蓋２と、容器本体１の両縁部の外側に配置される左右のロックプレート３Ａ、３Ｂと、各ロックプレート３Ａ、３Ｂから容器本体１に向けて延びた支持部４と、支持部４の端部と容器本体１の縁部とを繋ぐヒンジ部５と、左右のロックプレート３Ａ、３Ｂに対応して蓋２の両縁部の上面に形成した左右のロック用凹凸部６Ａ、６Ｂとを備えて構成される。
【００２２】
容器本体１、左右のロックプレート３Ａ、３Ｂ、支持部４およびヒンジ部５は、ＰＥＴその他の樹脂などにより一体的に射出成形され、また、蓋２とロック用凹凸部６Ａ、６Ｂも、ＰＥＴその他の樹脂により一体的に射出成形される。
【００２３】
＜容器本体と蓋の詳細構成＞
容器本体１の縁部全周には位置決め用凸部７Ａ（図２（ａ）（ｂ）参照）が設けられ、蓋２の縁部全周には位置決め用凸部７Ａに対応する位置決め用凹部７Ｂ（図３（ａ）（ｂ）参照）が設けられており、容器本体１の上面開口上に蓋２を置いた時に、その位置決め用凸部７Ａと位置決め用凹部７Ｂとは互いに嵌合するようになっている。
【００２４】
また、位置決め用凸部７Ａの外周壁と位置決め用凹部７Ｂの内周壁とは、対応する逆テーパの面形状でなく、逆テーパのない略垂直な面形状（図２（ｂ）と図３（ｂ）参照）になっている。従って、位置決め用凸部７Ａと位置決め用凹部７Ｂが嵌合するときに外力は不要である。容器本体１の上に蓋２を軽く置くだけで、この位置決め用凸部７Ａと位置決め用凹部７Ｂは容易に嵌合し、かかる嵌合によって容器本体１に対する蓋２の取り付け位置が決まる。
【００２５】
＜ロックプレートの詳細構成＞
左右のロックプレート３Ａ、３Ｂは、後述するヒンジ部５の折り溝５０を支点として内向き（蓋２側）に折り畳むことができ（図４参照）、この折り畳みによって、各ロックプレート３Ａ、３Ｂの下辺Ｈは、ロック用凹凸部６Ａ、６Ｂの凸部６１の先端部前面（後述する曲面ＣＳ）に当接するようになっている。
【００２６】
そして、前記の当接状態において、容器本体１の両側から内向き・左右方向の力（矢印Ｆ１の方向の力）で左右のロックプレート３Ａ、３Ｂを押圧することによって、各ロックプレート３Ａ、３Ｂは弾性変形し、各ロックプレート３Ａ、３Ｂの下辺Ｈはロック用凹凸部６Ａ、６Ｂの凸部６１を越えて凹部６２に入り込み、容器本体１と蓋２とは固定ロックされた状態になる。
【００２７】
また、前記のように固定ロックされた状態において、容器本体１の内側から外向き・左右方向の力（矢印Ｆ２の方向の力）で左右のロックプレート３Ａ、３Ｂを水平に拡げることによって、各ロックプレート３Ａ、３Ｂの下辺Ｈはロック用凹凸部６の凹部６２から凸部６１を越えて抜け出し、前記固定ロックは解除される。
【００２８】
＜支持部とヒンジ部の詳細構成＞
図２（ａ）に示したように、一方のロックプレート３Ａの支持部４は２本設けられており、これらの支持部４の端部と容器本体１の縁部とが前記ヒンジ部５を介して繋がっている。また、図２（ｂ）と図４に示したように、ヒンジ部５にはロックプレート３Ａの折り曲げ方向に直交するＶ字形の折り溝５０が予め形成されており、ヒンジ部５の折り溝５０を支点としてロックプレート３Ａは折り曲げ可能になっている。他方のロックプレート３Ｂも同様である。なお、図示は省略するが、折り溝５１に代えて折りスジを採用してもよいし、支持部４は必要に応じてその数を増やすこともできる。
【００２９】
＜ロック用凹凸部の詳細構成＞
本梱包容器Ｐでは、左右のロックプレート３Ａ、３Ｂを内向き（蓋２側）に折り曲げて略垂直に立てた位置の真下付近に、前記ロック用凹凸部６の凸部６１が設けられるようにしている（図４参照）。また、凸部６１の先端部前面（ロックプレート３Ａ、３Ｂの下辺Ｈが当接する面）は、ロックプレート３Ａ、３Ｂの下辺Ｈをガイドするガイド面としての機能を果たすため、図４のように所定曲率の曲面ＣＳに形成されていて、ロックプレート３Ａ、３Ｂの下辺Ｈは、その曲面ＣＳを滑り上がることで容易に凸部６１の天辺を越えることができるようになっている。
【００３０】
ロック用凹凸部６の凹部６２は、先に説明した凸部６１より蓋２の内側に位置し、その凸部６１の天辺を越えてきたロックプレート３Ａ、３Ｂの下辺Ｈが入り込むようになっている。
【００３１】
図４のように、支持部４とロックプレート３Ａ、３Ｂとの境界からヒンジ部５までの長さ（支持部４の長さ）をＬ１（図２（ａ）参照）とし、ロック用凹凸部６の凹部６２の底からヒンジ部５の位置まで垂直に降ろした垂線の長さ（凹部６２の底の高さ）をＬ２とした場合に、本梱包容器Ｐでは、そのＬ１とＬ２の関係をＬ１＜Ｌ２となるように調整してある。これにより、ロックプレート３Ａの下辺Ｈが凹部６２に入り込んだ時に、ロックプレート３Ａ、３Ｂの下辺Ｈは図４のように弾性変形し、その復元力によって凹部６２の底はロックプレート３Ａ、３Ｂの下辺Ｈで押圧される。この押圧力で位置決め用凸部７Ａと位置決め用凹部７Ｂとが密着し、蓋２と容器本体１は容易に外れることなく着脱可能に一体化される。
【００３２】
次に、本梱包容器Ｐの使用方法、作用等について図１と図４を基に説明する。
【００３３】
容器本体１に蓋２を取り付ける時は、図１のように位置決め用凸部７Ａと位置決め用凹部７Ｂとの位置合わせをして、容器本体１の上面開口に蓋２を軽く置き、左右のロックプレート３Ａ、３Ｂを内向き（蓋２側）に略垂直になるまで折り畳む（図４参照）。
【００３４】
左右のロックプレート３Ａ、３Ｂを折り畳む途中でロックプレート３Ａ、３Ｂの下辺Ｈがロック用凹凸部６の凸部６１の先端部前面（曲面ＣＳ）に当接したら、容器本体１の両側から内向き・左右方向の力でロックプレート３Ａ、３Ｂを押圧する。
【００３５】
そうすると、図４に示すようにロックプレート３Ａ、３Ｂの下辺Ｈが凸部６１の天辺を越えて、パチンというクリック音とクリック感を伴って凹部６２に入り込む。これで蓋２の取り付け作業は完了し、容器本体１と蓋２とは左右のロックプレート３Ａ、３Ｂで固定ロックされた状態になる。
【００３６】
容器本体１から蓋２を取り外す時は、図４のように折り畳まれている右側のロックプレート３Ａと、これと同様に折り畳まれている図示しない左側のロックプレート３Ｂ（図１参照）とを、容器本体１の内側から外向き・左右方向の力で略水平となるように拡げればよい。そうすると、各ロックプレート３Ａの下辺Ｈがロック用凹凸部６の凹部６２から凸部６１を越えて抜け出し、前記固定ロックが解除され、蓋２は容器本体１から完全に取り外し可能となる。
【００３７】
図５は図１に示す梱包容器の使用形態の一例を示したものである。図１の本梱包容器Ｐは、蓋２を容器本体１から完全に取り外す形態だけでなく、両開き式の扉のように蓋２を開く形態でも使用することができる。すなわち、図１に示す右側のロックプレート３Ａを折り畳んだままの状態とし、同図に示す左側のロックプレート３Ｂを前記のように略水平に拡げれば、蓋２は図５のように右側のヒンジ部５の折り溝５０を支点として左開き扉のように開くことができる。これとは逆に、図１に示す左側のロックプレート３Ｂを折り畳んだままの状態とし、同図に示す右側のロックプレート３Ａを前記のように略水平に拡げれば、蓋２は左側のヒンジ部５の折り溝５０を支点として右開き扉のように開くことができる。
【００３８】
以上説明した実施形態の梱包容器Ｐによると、容器本体１に蓋２を取り付ける時や、その蓋２を取り外す時は、容器本体１の内側から外向き・左右方向の力、又は容器本体１の両側から内向き・左右方向の力が当該容器本体１に作用するだけで、上下方向の力は加えないので、蓋２の取り付けや取り外し時に、容器本体１内で収容物品が上下に跳ね上がることはなく、跳ね上がりによって収容物品が損傷するおそれはない。
【００３９】
さらに、この梱包容器Ｐは、上述の通り蓋２の取付け時や取外し時に上下方向の力が容器本体１に加わらないので、そのような上下方向の力によって容器本体１が宙に浮くこともなく、それを防止するために容器本体１をしっかり掴んでおく必要もない点で、使い勝手に優れる。
【図面の簡単な説明】
【００４０】
【図１】図１は本発明を適用した梱包容器の断面図である。
【図２】図２は図１の梱包容器を構成する容器本体の説明図であって、同図中（ａ）は容器本体の平面図、（ｂ）は（ａ）中のｂ−ｂ断面図である。
【図３】図３は図１の梱包容器を構成する蓋の説明図であって、同図中（ａ）は蓋の平面図、（ｂ）は（ａ）中のｂ−ｂ断面図である。
【図４】図４は図１に示す梱包容器の蓋と容器本体とを固定ロックする操作の説明用拡大図である。
【図５】図５は図１に示す梱包容器の使用形態の一例を示した説明用拡大図である。
【符号の説明】
【００４１】
１  容器本体
２  蓋
３Ａ、３Ｂ  左右のロックプレート
４  支持部
５  ヒンジ部
５１  折り溝
６Ａ、６Ｂ  左右のロック用凹凸部
６１  ロック用凹凸部の凸部
６２  ロック用凹凸部の凹部
７Ａ  位置決め用凸部
７Ｂ  位置決め用凹部
ＣＳ  曲面
Ｈ  ロックプレートの下辺
Ｐ  梱包容器
【図１】
2009262988.tif 000003
【図２】
2009262988.tif 000004
【図３】
2009262988.tif 000005
【図４】
2009262988.tif 000006
【図５】
2009262988.tif 000007